(57)【要約】【課題】可動パーテーションの進出退入（展開格納）をスイッチ操作で開始させることができ、出入りに際しては通路領域を広く確保し、また設置スペースを少なくすることのできる円弧型パーテーションの提供を目的とする。【解決手段】本発明にあっては、ボックス状の固定パーテーションの両側面部から可動パーテーションが円弧状に進退自在である。そのため、例えば、患者などの出入りに際しては、可動パーテーションをボックス状の固定パーテーション内へ格納しておけば、出入りのための通路空間を大きく確保することができ、結果として設置スペースの大幅な低減が図れる。また可動パーテーションの突出退入動作は、固定パーテーション内に装備したモータなどによる駆動機構をスイッチ操作するだけで行うことができ、作業員の負担を大幅に低減することが可能である。【選択図】  図３
2007146368.tif 000002
【特許請求の範囲】
【請求項１】
ボックス状の固定パーテーションと、該固定パーテーションの両側面部から円弧状に進退自在な可動パーテーションと、前記固定パーテーション内に装着された可動パーテーションの駆動機構とで構成したことを特徴とする円弧型パーテーション。
【請求項２】
固定パーテーションの両側面部に設けられた可動パーテーションは、それぞれが個別に可動できる請求項１に記載の円弧型パーテーション。
【請求項３】
可動パーテーションは、ボックス状の固定パーテーション内で上下を案内レールに保持されており、固定パーテーションからの突出部分は可動パーテーション自体がいずれも支持されていないフリーの状態で行われるようになっている請求項１又は２に記載の円弧型パーテーション。
【請求項４】
可動パーテーションの操作は、隣位に設置される作業台などの操作パネルから操作できるようになっている請求項１乃至３のいずれかに記載の円弧型パーテーション。
【発明の詳細な説明】
【技術分野】
【０００１】
本発明は、採血室等において、一部の空間領域を遮蔽することを目的とし、円弧状に進出退入するパーテーションに関するものである。
【背景技術】
【０００２】
採血室や腎臓透析室、歯科治療及び診察室、医師の診察室、看護師が行う処置室等においては、患者のプライバシーを保護するために待合中の他の患者及び治療などを受けている他の患者から見えないように、パーテーションが設けられることが多い。
従来の一般的なパーテーションは、採血作業台、透析用のベッド、歯科治療用椅子などの周囲に相当する天井にカーテンレールを設けてカーテンを吊るしたり、天井と床との間に間仕切り壁を構築したり、衝立をＬ字状に配設したりしていた。
【０００３】
一方、採血現場では、通常、採血作業台を挟んで採血作業者と患者とが対面し、患者が作業台上へ腕を載せて差し出した状態で採血作業者が反対側から採血を行っている。ところが、最近では、専用の採血台自体を省略し、採血椅子に患者が座った状態でアームレストに腕を乗せて採血作業を実施することが行われるようになっている。このような場合でもプライバシー保護の観点から、前記と同様のパーテーションを設けていた。
【０００４】
ところが、カーテン方式にあっては、カーテンが薄いため十分にプライバシーが保護されているとは言えないという欠点があった。また間仕切り壁を構築する方式にあっては、大掛かりであり、かつレイアウトの変更が容易に出来ないという欠点があった。更に、衝立をＬ字状に配設する方式にあっては、隣位の採血作業台などとの間隔が、衝立の大きさの領域分と、その間の患者が出入りのために通行する領域の分だけ必要となり、スペースを多く要するという欠点があった。
【０００５】
このような問題を解決する従来技術として、特許文献1に記載されたものがある。この特許文献１の技術は、ベース板にリクライニングシートを設置し、リクライニングシート横のベース板に矩形状の固定壁板を設け、固定壁板に対してスライド自在に可動壁板を儲け、可動壁板の先端側にＬ字状に開閉できる搖動壁板を設置している。つまり、従来のＬ字状に設置する衝立をスライド自在及び展開自在としたものであり、不必要なときにはコンパクトに収納しようとするものである。
【特許文献１】特開２００２−２０１７４２号公報
【発明の開示】
【発明が解決しようとする課題】
【０００６】
ところが、前記特許文献１に記載の技術にあっては、出入りに際し、搖動壁板及びスライド自在な可動壁板を格納する場合には、これらの格納作業を手作業で行わなければならず、手間がかかり、煩雑でもあり、また看護師等の病院スタッフに余分な負担を掛けるという欠点があった。一方、搖動壁板及びスライド自在な可動壁板を展開したままの状態で出入りする場合は、これらのパーテーションとしての壁板を避けて行う必要があり、狭い通路から出入りしなければならなかった。また通路部分の領域を大きく確保すると、多くの設置スペースを必要とするという欠点があった。
【０００７】
本発明は従来の前記問題点に鑑みてこれを改良除去したものであって、可動パーテーションの進出退入（展開格納）をスイッチ操作で開始させることができ、出入りに際しては通路領域を広く確保し、また設置スペースを少なくすることのできる円弧型パーテーションを提供せんとするものである。
【課題を解決するための手段】
【０００８】
前記課題を解決するために本発明が採用した請求項１の手段は、ボックス状の固定パーテーションと、該固定パーテーションの両側面部から円弧状に進退自在な可動パーテーションと、前記固定パーテーション内に装着された可動パーテーションの駆動機構とで構成したことを特徴とする円弧型パーテーションである。
【０００９】
また前記課題を解決するために本発明が採用した請求項２の手段は、固定パーテーションの両側面部に設けられた可動パーテーションは、それぞれが個別に可動できる請求項１に記載の円弧型パーテーションである。
【００１０】
請求項３の手段は、可動パーテーションは、ボックス状の固定パーテーション内で上下を案内レールに保持されており、固定パーテーションからの突出部分は可動パーテーション自体がいずれも支持されていないフリーの状態で行われるようになっている請求項１又は２に記載の円弧型パーテーションである。
【００１１】
請求項４の手段は、可動パーテーションの操作は、隣位に設置される作業台などの操作パネルから操作できるようになっている請求項１乃至３のいずれかに記載の円弧型パーテーションである。
【発明の効果】
【００１２】
請求項１の発明にあっては、ボックス状の固定パーテーションの両側面部から可動パーテーションが円弧状に進退自在である。そのため、例えば、患者などの出入りに際しては、可動パーテーションをボックス状の固定パーテーション内へ格納しておけば、出入りのための通路空間を大きく確保することができ、結果として設置スペースの大幅な低減が図れる。
また可動パーテーションの突出退入動作は、固定パーテーション内に装備したモータなどによる駆動機構をスイッチ操作するだけで行うことができ、作業員の負担を大幅に低減することが可能である。
更には、可動パーテーションが円弧型で且つ円弧状に突出するため、少ない空間領域で隣位の患者との間を完全に遮断することができ、プライバシーの保護も十分である。
【００１３】
請求項２の発明にあっては、前記固定パーテーションの両側面部に設けられた可動パーテーションが、それぞれ個別に可動できるようになっている。そのため、患者が出入りする側の可動パーテーションのみを突出退入動作させることができ、効率のよい使用態様が可能である。
【００１４】
請求項３の発明にあっては、前記可動パーテーションは、ボックス状の固定パーテーション内でのみ、その上下部を案内レールに保持されている。そして、固定パーテーションから突出動作させたときは、突出部分については、可動パーテーションはいずれも支持されていないフリーの支持構造である。
従って、通路領域となるべき部分に可動パーテーションの支持構造物がなく、出入りに際し、患者の障害となるようなものはなくなり、安全な通行が可能となる。
【００１５】
請求項４の発明にあっては、前記可動パーテーションの操作が、隣位に設置される作業台などの操作パネルから操作できるようになっている。看護師などの病院側スタッフが安全を確認しながら可動パーテンションの突出退入動作を操作することができる。しかも、作業の進行具合を見ながら病院側スタッフが自ら操作できるので、極めて便利である。
【発明を実施するための最良の形態】
【００１６】
以下に、本発明に係る円弧型パーテーションの構成を、図面に示す実施の形態に基づいて説明すると、次の通りである。図１は固定パーテーション１から左右の可動パーテーション２Ａ，２Ｂを突出させた状態を示すものであり、同図の図（Ａ）は平面図、図（Ｂ）は正面図、図（Ｃ）は右側面図、図（Ｄ）は背面図である。図２は可動パーテーション２Ａ，２Ｂが固定パーテーション１内へ格納された状態を示すものであり、同図の図（Ａ）は平面図、図（Ｂ）は正面図、図（Ｃ）は右側面図である。図３乃至図５は固定パーテーション１のカバーを外した状態を示すものであり、図３は平面図、図４は正面図、図５は右側面図である。
【００１７】
同図に示す如く、固定パーテーション１は、ボックス状の本体１Ａを有し、該本体１Ａの底面部がベース板３の上に載置固定されている。ベース板３上へ固定パーテーション本体１Ａを固定した状態で、ベース板３は固定パーテーション本体１Ａの正面側において舌片状に突出している（図（Ａ）の平面図参照）。この舌片状の突出部分は、採血椅子などを載置固定するためのスペースである。またベース板３の固定パーテーション本体１Ａの背面側には、補強リブ４を取り付けるための設置スペースが突出して形成されており、補強リブ４はベース板３と固定パーテーション本体１Ａとに跨って取り付けられている。
【００１８】
固定パーテーション本体１Ａは、そのボックス状の空間内に筒周壁の一部と同形状を成す左右の円弧状の可動パーテーション２Ａ，２Ｂが前後に重なって格納できるようになっている。ボックス状本体１Ａ内の上下部には、可動パーテーション２Ａ，２Ｂを摺動自在に支持するための案内レール５Ａ，５Ｂ及び５Ｃ，５Ｄが設置されている。案内レール５Ａ乃至５Ｄは、可動パーテーション２Ａ，２Ｂの湾曲の曲率と同じ曲率に湾曲形成されており、可動パーテーション２Ａ，２Ｂが円弧状に突出退入できるようになされている。６Ａ乃至６Ｄは、案内レール５Ａ乃至５Ｄに装着されたスライダである。可動パーテーション２Ａ，２Ｂは、このスライダ６Ａ乃至６Ｄに上下端側の一部が固定されて摺動自在となされている。また可動パーテーション２Ａ，２Ｂは、ボックス状本体１Ａの前部寄りの側面から突出退入できるようになっている。
【００１９】
ボックス状本体１Ａ内には、可動パーテーション２Ａ，２Ｂの駆動機構がそれぞれ別個に設けられている。駆動機構としては、電動モータとモータの動力を伝達するためのベルトプーリなどが装着されている。なお、いずれも図示せず。電動モータは、採血椅子の適宜箇所又は採血作業台の任意の位置などに設けられたタッチパネルのタッチスイッチを操作することで、駆動制御されるようになっている。タッチパネルは、採血作業者が利用するものであり、患者の検査項目に応じた採血管を収納したトレイの供給を要請するタッチセンサと、患者ＩＤ並びに検査項目、採血量などの採血検査情報を表示するディスプレイなどが装備されている。
【００２０】
更に、固定パーテーション本体１Ａの背面板１Ｂには、患者の採血受付番号などを表示して呼出表示を行うディスプレイ７が組み込まれている。
【００２１】
次に、このように構成された円弧型パーテーションの使用態様を説明する。固定パーテーション１の前側のベースプレート３上には、図示しない採血椅子が設置されている。そして、可動パーテーション２Ａ，２Ｂは、図２の図（Ａ）乃至（Ｃ）に示すように、固定パーテーション本体１Ａ内に格納されている。
このような状態から採血作業者は、次に採血を行う患者の採血管を収納してなるトレイが供給されて来ると、そのトレイのバーコード情報又はＩＣタグ情報を自動的に読み取らせるなどし、これらの情報を基にして上位コンピュータから当該患者に関する採血検査情報をダウンロードさせ、タッチパネルに患者ＩＤ並びに検査項目、採血量などの採血検査情報を表示させる。また当該患者の採血受付番号を、固定パーテーション１の背面板１Ｂに取り付けられたディスプレイ７に表示させ、患者の呼び出しを行う。
【００２２】
待合室の長いすなどで待機していた患者は、自分の採血受付番号が表示されると、該当する固定パーテーション１の横を通って、採血椅子に座る。このとき、可動パーテーション２Ａ，２Ｂは、固定パーテーション本体１Ａ内に格納されているので、通行するのに十分なスペースを確保することができ、出入りはスムーズである。患者が採血椅子に座ると、採血作業者は、タッチパネルのタッチセンサを操作し、可動パーテーション２Ａ，２Ｂを突出動作させる。タッチセンサを操作すると、電動モータが駆動し、ベルトプーリを介してスライダ６Ａ，６Ｂ及び６Ｃ，６Ｄを案内レール５Ａ，５Ｂ及び５Ｃ，５Ｄ上で円弧状に摺動させるようになり、可動パーテーション２Ａ，２Ｂは図１の各図に示すように、円弧状に展開した状態となる。なお、可動パーテーション２Ａ，２Ｂは個別に操作することもでき、片方のみの突出退入動作で、患者の出入りを行うようにしてもよい。これにより、採血椅子に座っている患者及び採血作業の状態を待合室側から及び隣位の採血作業患者側から見えないように遮断することができ、プライバシーの保護を十分に図ることができる。しかも、可動パーテーションが円弧型で且つ円弧状に突出するため、少ない空間領域でも設置が可能である。
【００２３】
次に採血作業者は、プライバシーが固定パーテーション１及び可動パーテーション２Ａ，２Ｂで完全に保護された状態において、トレイ側（採血管のラベルなどの場合もある）から読み込んだ患者ＩＤと、患者自身とが一致しているかの確認を行う。確認は、タッチパネルのディスプレイに表示されているトレイ側から読み込んだ患者情報と、データベースからダウンロードした情報と、患者が所持している採血受付票から読み込んだ情報又は口頭で聞き取った情報とを比較して行えばよい。
【００２４】
然る後は、採血作業者は、表示された検査項目と採血管とが一致しているかの確認を行いながら採血作業を実施する。患者は、採血椅子のアームレストに採血する腕を載せ、待機する。採血作業者は、採血指示の内容を確認しながら各採血管へ必要量の検体を採取する。検体を採取した採血管は、患者ごとに準備されたラックに立てた状態で並べられる。そして、トレイに準備された全ての採血管に検体が採取されると、採血作業者は、ラックを検査工程へ搬送する移送装置（図示せず）へ移載して搬出する。空のトレイは、返送コンベアなどにより採血管準備装置側へ返送される。
【００２５】
最後に、採血作業者は、タッチセンサを操作して可動パーテーション２Ａ，２Ｂの双方又はいずれか片方を退入動作させる。退入動作は、突出動作と逆方向に電動モータを駆動させて行う。患者が帰った後、採血作業者は、次の患者のトレイの供給を要請する。以下、上述の動作を繰り返して採血作業を行う。
【産業上の利用可能性】
【００２６】
ところで、本発明は、上述の実施の形態に限定されるものではなく、適宜の変更が可能である。例えば、円弧型パーテーションを採血室の採血台の周囲に設置した場合を説明したが、透析患者のリクライニングシートの周囲を隠蔽するものであってもよく、また内科や歯科における診察用の椅子の周囲に設置されるものであってもよく、部分的にパーテーションを必要とし、レイアウトの変更などを頻繁に行う可能性のある場合に最適である。要するに、本発明の円弧型パーテーションは、構造が簡単であり、且つ全体としてもコンパクトで省スペースに適しているため、広範囲の利用が可能である。
【図面の簡単な説明】
【００２７】
【図１】本発明の一実施の形態に係るものであり、図（Ａ）は左右の可動パーテーションを突出させた状態を示す平面図、図（Ｂ）は同正面図、図（Ｃ）は同右側面図、図（Ｄ）は同背面図である。
【図２】本発明の一実施の形態に係るものであり、図（Ａ）は可動パーテーションの格納状態を示す平面図、図（Ｂ）は同正面図、図（Ｃ）は同右側面図である。
【図３】本発明の一実施の形態に係るものであり、固定パーテーションのカバーを外した状態を示す平面図である。
【図４】本発明の一実施の形態に係るものであり、固定パーテーションのカバーを外した状態を示す正面図である。
【図５】本発明の一実施の形態に係るものであり、固定パーテーションのカバーを外した状態を示す右側面図である。
【符号の説明】
【００２８】
１…固定パーテーション、１Ａ…固定パーテーションの本体、１Ｂ…固定パーテーションの背面板、２Ａ，２Ｂ…可動パーテーション、３…ベースプレート、４…補強リブ、５Ａ，５Ｂ，５Ｃ，５Ｄ…案内レール、６Ａ，６Ｂ，６Ｃ，６Ｄ…スライダ、７…ディスプレイ
【図１】
2007146368.tif 000003
【図２】
2007146368.tif 000004
【図３】
2007146368.tif 000005
【図４】
2007146368.tif 000006
【図５】
2007146368.tif 000007